(57)【要約】【課題】並行放送の番組データを効率よく編集する。【解決手段】放送システムサーバ１は、親番組の映像モードに、親番組の映像モードに対応する子番組の映像モードが対応づけられた映像モード変換表データ２１と、親番組の音声モードに、親番組の音声モードに対応する子番組の音声モードが対応づけられた音声モード変換表データ２２と、映像モード、音声モード及び放送時刻が含まれた親番組データ３１を記憶するとともに、映像モード変換表データ２１及び音声モード変換表データ２２から、親番組データ３１に含まれる映像モード及び音声モードに対応づけられた子番組の映像モード及び音声モードを抽出して親番組データ３１の映像モード及び音声モードに置換し、親番組データ３１へのリンクを付加した子番組データ３２を記憶する番組編集手段１１を備える。【選択図】      図３
2008227851.tif 000002
【特許請求の範囲】
【請求項１】
第１の放送方式で放送される親番組の親番組データから、第２の放送形式で放送される子番組の子番組データを生成する放送システムサーバにおいて、
親番組の番組属性に、前記親番組の番組属性に対応する子番組の番組属性が対応づけられた番組属性変換表データを記憶装置に記憶する番組属性変換表データ記憶手段と、
前記番組属性及び放送時刻が含まれた親番組データを前記記憶装置に記憶するとともに、前記番組属性変換表データから、前記親番組データに含まれる前記番組属性に対応づけられた前記子番組の番組属性を抽出し、前記親番組データの前記番組属性を前記子番組の番組属性に置換し、前記親番組データへのリンクを付加した前記子番組データを前記記憶装置に記憶する番組編集手段
を備えることを特徴とする放送システムサーバ。
【請求項２】
前記番組編集手段は、更に、
前記親番組データを削除する場合、前記親番組データへのリンクが付加された子番組データを前記記憶装置から削除し、
前記子番組データを削除する場合、前記子番組データのみを前記記憶装置から削除する
ことを特徴とする請求項１に記載の放送システムサーバ。
【請求項３】
前記番組編集手段は、更に、
前記親番組データを変更する場合、前記親番組データへのリンクが付加された子番組データも変更し、
前記子番組データの放送時刻を変更する場合、前記子番組データに含まれる前記親番組データへのリンクを削除して、前記子番組データの放送時刻を変更し、
前記子番組データの番組属性を変更する場合、前記子番組データの番組属性を変更する
ことを特徴とする請求項１に記載の放送システムサーバ。
【請求項４】
前記番組属性には、映像モード及び音声モードが含まれることを特徴とする請求項１に記載の放送システムサーバ。
【請求項５】
前記親番組データ及び子番組データは、番組中に発生するイベントデータを含み、
前記親番組データにイベントデータが追加されると、前記子番組データに前記親番組データに追加されたイベントデータへのリンクを付加し、前記親番組データのイベントデータが削除されると、前記子番組データから削除されたイベントデータへのリンクを削除するイベント編集手段
を更に備えることを特徴とする請求項１に記載の放送システムサーバ。
【請求項６】
前記イベント編集手段は、前記子番組データのイベントデータが変更又は削除されると、前記子番組データの前記親番組データに含まれるイベントデータへのリンクを削除する
ことを特徴とする請求項５に記載の放送システムサーバ。
【請求項７】
前記イベントデータには、機器データ及びアウトコードデータを含み、
前記放送システムサーバは、
前記放送方式毎に使用される機器データが関連づけられた機器変換表データを記憶装置に記憶する機器変換表データ記憶手段と、
前記放送方式に対応するアウトコードが関連づけられたアウトコード表データを記憶装置に記憶するアウトコード表データ記憶手段とを備え、
前記イベントデータ編集手段は、前記親番組データにイベントデータが追加又は変更されると、完全サイマルの場合、子番組データのイベントデータに、前記アウトコード表データから子番組放送形式に関連づけられたのアウトコードデータを付与し、完全サイマルでない場合、前記子番組データのイベントデータに、前記機器変換表データから前記子番組の前記放送方式に関連づけられた機器データを付与する
ことを特徴とする請求項５に記載の放送システムサーバ。
【請求項８】
前記親番組データのＣＭデータを編集するＣＭ編集手段と、
前記ＣＭ編集手段によって編集された前記親番組データのＣＭデータを、前記子番組データに反映して送信する番組データ送信手段
とを備えることを特徴とする請求項１に記載の放送システムサーバ。
【請求項９】
前記放送方式毎のＣＭ素材コードが対応づけられたＣＭ素材コード変換表データを前記記憶装置に記憶するＣＭ素材コード変換表データ記憶手段を更に備え、
前記番組データ送信手段は更に、前記ＣＭ素材コード変換表データから子番組の放送形式に適合したＣＭ素材コードを抽出し、抽出された前記ＣＭ素材コードを前記子番組データに付与する
ことを特徴とする請求項８に記載の放送システムサーバ。
【請求項１０】
第１の放送方式で放送される親番組の親番組データから、第２の放送形式で放送される子番組の子番組データを生成する放送システムプログラムにおいて、
親番組の番組属性に、前記親番組の番組属性に対応する子番組の番組属性が対応づけられた番組属性変換表データを記憶装置に記憶する番組属性変換表データ記憶手段と、
前記番組属性及び放送時刻が含まれた親番組データを前記記憶装置に記憶するとともに、前記番組属性変換表データから、前記親番組データに含まれる前記番組属性に対応づけられた前記子番組の番組属性を抽出し、前記親番組データの前記番組属性を前記子番組の番組属性に置換し、前記親番組データへのリンクを付加した前記子番組データを前記記憶装置に記憶する番組編集手段
をコンピュータに実行させることを特徴とする放送システムプログラム。
【請求項１１】
前記番組編集手段は、更に、
前記親番組データを削除する場合、前記親番組データへのリンクが付加された子番組データを前記記憶装置から削除し、
前記子番組データを削除する場合、前記子番組データのみを前記記憶装置から削除する
ことを特徴とする請求項１０に記載の放送システムプログラム。
【請求項１２】
前記番組編集手段は、更に、
前記親番組データを変更する場合、前記親番組データへのリンクが付加された子番組データも変更し、
前記子番組データの放送時刻を変更する場合、前記子番組データに含まれる前記親番組データへのリンクを削除して、前記子番組データの放送時刻を変更し、
前記子番組データの番組属性を変更する場合、前記子番組データの番組属性を変更する
ことを特徴とする請求項１１に記載の放送システムプログラム。
【請求項１３】
前記番組属性には、映像モード及び音声モードが含まれることを特徴とする請求項１１に記載の放送システムプログラム。
【請求項１４】
前記親番組データ及び子番組データは、番組中に発生するイベントデータを含み、
前記親番組データにイベントデータが追加されると、前記子番組データに前記親番組データに追加されたイベントデータへのリンクを付加し、前記親番組データのイベントデータが削除されると、前記子番組データから削除されたイベントデータへのリンクを削除するイベント編集手段
を更にコンピュータに実行させることを特徴とする請求項１１に記載の放送システムプログラム。
【請求項１５】
前記イベント編集手段は、前記子番組データのイベントデータが変更又は削除されると、前記子番組データの前記親番組データに含まれるイベントデータへのリンクを削除する
ことを特徴とする請求項１４に記載の放送システムプログラム。
【請求項１６】
前記イベントデータには、機器データ及びアウトコードデータを含み、
前記放送方式毎に使用される機器データが関連づけられた機器変換表データを記憶装置に記憶する機器変換表データ記憶手段と、
前記放送方式に対応するアウトコードが関連づけられたアウトコード表データを記憶装置に記憶するアウトコード表データ記憶手段とを更にコンピュータに実行させ、
前記イベントデータ編集手段は、前記親番組データにイベントデータが追加又は変更されると、完全サイマルの場合、子番組データのイベントデータに、前記アウトコード表データから子番組放送形式に関連づけられたのアウトコードデータを付与し、完全サイマルでない場合、前記子番組データのイベントデータに、前記機器変換表データから前記子番組の前記放送方式に関連づけられた機器データを付与する
ことを特徴とする請求項１４に記載の放送システムプログラム。
【請求項１７】
前記親番組データのＣＭデータを編集するＣＭ編集手段と、
前記ＣＭ編集手段によって編集された前記親番組データのＣＭデータを、前記子番組データに反映して送信する番組データ送信手段
とをコンピュータに実行させることを特徴とする請求項１１に記載の放送システムプログラム。
【請求項１８】
前記放送方式毎のＣＭ素材コードが対応づけられたＣＭ素材コード変換表データを前記記憶装置に記憶するＣＭ素材コード変換表データ記憶手段を更にコンピュータに実行させ、
前記番組データ送信手段は更に、前記ＣＭ素材コード変換表データから子番組の放送形式に適合したＣＭ素材コードを抽出し、抽出された前記ＣＭ素材コードを前記子番組データに付与する
ことを特徴とする請求項１７に記載の放送システムプログラム。
【発明の詳細な説明】
【技術分野】
【０００１】
本発明は、第１の放送方式で放送される親番組の親番組データから、第２の放送形式で放送される子番組の子番組データを生成する放送システムサーバ及び放送システムプログラムに関する。
【背景技術】
【０００２】
従来、アナログ放送においては、放送局毎に１チャンネル毎に、番組、イベント、ＣＭ情報を編成し、毎日の放送データを作成している。ここで、「番組」とは、放送局における放送の編成の単位である。「イベント」とは、番組中にＶＴＲ放送とスタジオ放送を切替などの番組に対する指示である。ＣＭ情報は、番組中に放送するコマーシャルの情報である。
【０００３】
近年、従来のアナログ放送に加え、放送局毎に複数チャンネルの放送データを送出可能な地上波デジタルも普及し始めている。しかし、チャンネル毎に全く異なる番組を制作し編成することは実務上困難で、複数のチャンネルや放送方式で、同じ時間に同じ番組を放送する並行放送（サイマル放送）が多用されている。
【発明の開示】
【発明が解決しようとする課題】
【０００４】
しかし、並行放送においては同じ時間に同じ番組を放送するといっても、放送方式に依存する機器や設定などがあるため、放送方式に応じて個々の放送データを生成しなければならない。具体的には、放送方式によって、映像モード、音声モード、制御機器が異なる場合がある。
【０００５】
並行放送におけるＣＭ編集作業では、全て同じデータを放送方式毎の番組データにコピーする方法が考えられる。しかし、ＣＭ編集における作業量は膨大であるので、一つの番組データにおいて修正されたＣＭ編集の内容を他の全ての番組データに反映する場合に、膨大な作業及びデータ量の増加が発生してしまう問題があった。
【０００６】
従って本発明の目的は、並行放送の番組データの効率よい編集を支援する放送システムサーバ及び放送システムプログラムを提供することである。
【課題を解決するための手段】
【０００７】
上記課題を解決するために、本発明の第１の特徴は、第１の放送方式で放送される親番組の親番組データから、第２の放送形式で放送される子番組の子番組データを生成する放送システムサーバに関する。即ち、本発明の第１の特徴に係る放送システムサーバは、親番組の番組属性に、親番組の番組属性に対応する子番組の番組属性が対応づけられた番組属性変換表データを記憶装置に記憶する番組属性変換表データ記憶手段と、番組属性及び放送時刻が含まれた親番組データを記憶装置に記憶するとともに、番組属性変換表データから、親番組データに含まれる番組属性に対応づけられた子番組の番組属性を抽出し、親番組データの番組属性を子番組の番組属性に置換し、親番組データへのリンクを付加した子番組データを記憶装置に記憶する番組編集手段を備える。ここで、  番組属性には、映像モード及び音声モードが含まれる。
【０００８】
このような本発明によれば、親番組データが生成されると、子番組の放送形式に適合した子番組データが生成されるので、編集作業の負担を軽減することができる。
【０００９】
ここで、番組編集手段は、更に、親番組データを削除する場合、親番組データへのリンクが付加された子番組データを記憶装置から削除し、子番組データを削除する場合、子番組データのみを記憶装置から削除しても良い。番組編集手段は、更に、親番組データを変更する場合、親番組データへのリンクが付加された子番組データも変更し、子番組データの放送時刻を変更する場合、子番組データに含まれる親番組データへのリンクを削除して、子番組データの放送時刻を変更し、子番組データの番組属性を変更する場合、子番組データの番組属性を変更しても良い。これにより、親番組と子番組のリンク関係を崩すことなく、親番組データ及び子番組データを編集することができる。
【００１０】
親番組データ及び子番組データは、番組中に発生するイベントデータを含み、親番組データにイベントデータが追加されると、子番組データに親番組データに追加されたイベントデータへのリンクを付加し、親番組データのイベントデータが削除されると、子番組データから削除されたイベントデータへのリンクを削除するイベント編集手段を更に備えても良い。
【００１１】
これにより、親番組と子番組において同一のイベントデータを多重に保持する必要はなく、編集作業と、番組データの記憶容量を軽減することができる。
【００１２】
ここで、イベント編集手段は、子番組データのイベントデータが変更又は削除されると、子番組データの親番組データに含まれるイベントデータへのリンクを削除しても良い。これにより、親番組と子番組の関係を崩すことなく、親番組データ及び子番組データのイベントデータを編集することができる。
【００１３】
又、イベントデータには、機器データ及びアウトコードデータを含み、放送システムサーバは、放送方式毎に使用される機器データが関連づけられた機器変換表データを記憶装置に記憶する機器変換表データ記憶手段と、放送方式に対応するアウトコードが関連づけられたアウトコード表データを記憶装置に記憶するアウトコード表データ記憶手段とを備えても良い。この場合、イベントデータ編集手段は、親番組データにイベントデータが追加又は変更されると、完全サイマルの場合、子番組データのイベントデータに、アウトコード表データから子番組放送形式に関連づけられたのアウトコードデータを付与し、完全サイマルでない場合、子番組データのイベントデータに、機器変換表データから子番組の放送方式に関連づけられた機器データを付与する。
【００１４】
これにより、親番組と子番組の関連を考慮して、親番組及び子番組それぞれ独自の番組データを生成することができる。
【００１５】
親番組データのＣＭデータを編集するＣＭ編集手段と、ＣＭ編集手段によって編集された親番組データのＣＭデータを、子番組データに反映して送信する番組データ送信手段とを備えても良い。
【００１６】
これによれば、頻繁に変更が発生するＣＭデータの変更作業量を軽減することができる。
【００１７】
ここで、放送方式毎のＣＭ素材コードが対応づけられたＣＭ素材コード変換表データを記憶装置に記憶するＣＭ素材コード変換表データ記憶手段を更に備え、番組データ送信手段は更に、ＣＭ素材コード変換表データから子番組の放送形式に適合したＣＭ素材コードを抽出し、抽出されたＣＭ素材コードを子番組データに付与しても良い。これにより、各放送形式に適合した番組データを作成することができる。
【００１８】
本発明の第２の特徴は、第１の放送方式で放送される親番組の親番組データから、第２の放送形式で放送される子番組の子番組データを生成する放送システムプログラムに関する。即ち本発明の第２の特徴に係る放送システムプログラムは、親番組の番組属性に、親番組の番組属性に対応する子番組の番組属性が対応づけられた番組属性変換表データを記憶装置に記憶する番組属性変換表データ記憶手段と、番組属性及び放送時刻が含まれた親番組データを記憶装置に記憶するとともに、番組属性変換表データから、親番組データに含まれる番組属性に対応づけられた子番組の番組属性を抽出し、親番組データの番組属性を子番組の番組属性に置換し、親番組データへのリンクを付加した子番組データを記憶装置に記憶する番組編集手段をコンピュータに実行させる。番組属性には、例えば、映像モード及び音声モードが含まれる。
【００１９】
ここで、番組編集手段は、更に、親番組データを削除する場合、親番組データへのリンクが付加された子番組データを記憶装置から削除し、子番組データを削除する場合、親番組データへのリンクを削除して子番組データを記憶装置から削除しても良い。番組編集手段は、更に、親番組データを変更する場合、親番組データへのリンクが付加された子番組データも変更し、子番組データの放送時刻を変更する場合、子番組データに含まれる親番組データへのリンクを削除して、子番組データの放送時刻を変更し、子番組データの番組属性を変更する場合、子番組データの番組属性を変更しても良い。
【００２０】
親番組データ及び子番組データは、番組中に発生するイベントデータを含み、親番組データにイベントデータが追加されると、子番組データに親番組データに追加されたイベントデータへのリンクを付加し、親番組データのイベントデータが削除されると、子番組データから削除されたイベントデータへのリンクを削除するイベント編集手段を更にコンピュータに実行させても良い。
【００２１】
イベント編集手段は、子番組データのイベントデータが変更又は削除されると、子番組データの親番組データに含まれるイベントデータへのリンクを削除しても良い。
【００２２】
イベントデータには、機器データ及びアウトコードデータを含み、放送方式毎に使用される機器データが関連づけられた機器変換表データを記憶装置に記憶する機器変換表データ記憶手段と、放送方式に対応するアウトコードが関連づけられたアウトコード表データを記憶装置に記憶するアウトコード表データ記憶手段とを更にコンピュータに実行させても良い。この場合、イベントデータ編集手段は、親番組データにイベントデータが追加又は変更されると、完全サイマルの場合、子番組データのイベントデータに、アウトコード表データから子番組放送形式に関連づけられたのアウトコードデータを付与し、完全サイマルでない場合、子番組データのイベントデータに、機器変換表データから子番組の放送方式に関連づけられた機器データを付与する。
【００２３】
親番組データのＣＭデータを編集するＣＭ編集手段と、ＣＭ編集手段によって編集された親番組データのＣＭデータを、子番組データに反映して送信する番組データ送信手段とをコンピュータに実行させても良い。更に、放送方式毎のＣＭ素材コードが対応づけられたＣＭ素材コード変換表データを記憶装置に記憶するＣＭ素材コード変換表データ記憶手段を更にコンピュータに実行させ、番組データ送信手段は更に、ＣＭ素材コード変換表データから子番組の放送形式に適合したＣＭ素材コードを抽出し、抽出されたＣＭ素材コードを子番組データに付与しても良い。
【発明の効果】
【００２４】
本発明によれば、並行放送の番組データの効率よい編集を支援する放送システムサーバ及び放送システムプログラムを提供することができる。
【発明を実施するための最良の形態】
【００２５】
次に、図面を参照して、本発明の実施の形態を説明する。以下の図面の記載において、同一又は類似の部分には同一又は類似の符号を付している。
【００２６】
（最良の実施の形態）
本発明の最良の実施の形態に係る放送システムは、図１に示すように、放送システムサーバ１、放送システム端末２ａ、２ｂ、２ｃ、支社システム３ａ、３ｂ、自動番組送出装置４ａ、４ｂ、ＣＭバンク５を備えている。放送システムサーバ１、放送システム端末２ａ、２ｂ、２ｃ、支社システム３ａ、３ｂ、自動番組送出装置４ａ、４ｂ、ＣＭバンク５は、互いに通信可能な通信ネットワーク６により接続されている。
【００２７】
放送システムサーバ１は、第１の放送方式で放送される親番組の親番組データから、第２の放送形式で放送される子番組の子番組データを生成する装置である。放送システムサーバ１は、一般的なコンピュータに本発明の最良の実施の形態に係る放送システムプログラムがロードされることにより実装される。
【００２８】
放送システム端末２ａは、放送システムサーバ１に記憶された親番組データや子番組データの編集の指示を入力する端末である。放送システム端末２ｂ、２ｃも同様である。
【００２９】
支社システム３ａは、放送局の支社に配置されたシステムで、専用通信回線やＶＰＮ（Virtual Private Network）などを介して放送システムサーバ１と相互に接続される。支社システム３ｂも同様である。
【００３０】
自動番組送出装置（ＡＰＣ：Automatic Program Controller）４ａは、放送システムサーバ１によって制御される下位機器の一つである。自動番組送出装置４ａは、放送システムサーバ１から受信した番組データに基づいて、放送予定時刻に制御機器を制御する。自動番組送出装置４ｂも同様である。
【００３１】
ＣＭバンク５は、放送システムサーバ１によって制御される下位機器の一つである。ＣＭバンク５は、放送システムサーバ１から受信した番組データに基づいて制御されるとともに、自動番組送出装置４ａからの制御に基づいてＣＭを送出する。このＣＭバンク５には、その放送局が扱う全てのＣＭ素材が登録されている。
【００３２】
次に、図２を参照して、本発明の概要を説明する。例えば、アナログ放送用に放送される親番組データが生成されると、地上波デジタルなどの他の放送方式で放送される子番組データが生成される。このとき、番組データに含まれる映像モード、音声モードなどの番組属性は、放送方式に適合したモードに変換されて子番組データが生成される。又、子番組データには、親番組データへのリンクが含まれ、親番組データと子番組データとの関係が確立される。並行放送データにおいて、ＶＴＲ放送とスタジオ放送の切替などの番組データにおける指示のイベントデータは親番組データにのみに含まれ、子番組データには親番組データに含まれるイベントデータへのリンクのみが付加される。ＣＭデータは、親番組データにのみ付加され、番組データが下位機器に送信される直前に、親番組データのＣＭデータに基づいて子番組データにＣＭデータが付加される。
【００３３】
図３に示すように、本発明の最良の実施の形態に係る放送システムサーバ１は、中央処理制御装置１０１、記憶装置１０２ａ及び１０２ｂを備えている。
【００３４】
中央処理制御装置１０１には、一般的なコンピュータに本発明の最良の実施の形態に係る放送システムプログラムがロードされることにより、各手段が実装される。記憶装置１０２ａには、本発明の最良の実施の形態に係る放送システムサーバ１においてマスタデータとして使用されるデータが記憶されている。記憶装置１０２ｂには、本発明の最良の実施の形態に係る放送システムサーバ１の処理において出力されるデータが記憶されている。
【００３５】
記憶装置１０２ａには、映像モード変換表データ２１、音声モード変換表データ２２、機器変換表データ２３、アウトコード表データ２４、ＣＭ素材コード変換表データ２５が記憶されている。
【００３６】
映像モード変換表データ２１は、親番組の番組属性に、親番組の番組属性に対応する子番組の番組属性が対応づけられた番組属性変換表データの一つであって、番組属性の映像モードに関するデータである。映像モード変換表データ２１は、中央処理制御装置１０１による制御によって、記憶装置１０２ａに記憶される。映像モード変換表データ２１は、図４に示すデータ構造とデータを備える。親番組データの映像モードと、親番組の映像モードに対応する子番組データの映像モードが対応づけられている。映像モード変換表データ２１においては、デジタル放送、アナログ放送などの放送方式毎に、子番組データの映像モードが対応づけられる。
【００３７】
音声モード変換表データ２２は、親番組の番組属性に、親番組の番組属性に対応する子番組の番組属性が対応づけられた番組属性変換表データの一つであって、音声モードに関するデータである。音声モード変換表データ２２は、中央処理制御装置１０１による制御によって、記憶装置１０２ａに記憶される。音声モード変換表データ２２は、図５に示すデータ構造とデータを備える。親番組データの音声モードと、親番組の音声モードに対応する子番組データの音声モードが対応づけられている。音声モード変換表データ２２においては、デジタル放送、アナログ放送などの放送方式毎に、子番組データの音声モードが対応づけられる。
【００３８】
機器変換表データ２３は、図６に示すように、放送方式毎に使用する機器データが対応づけられたデータである。機器変換表データ２３は、中央処理制御装置１０１による制御によって、記憶装置１０２ａに記憶される。ここで「機器コード」とは、ＶＴＲ、ＣＭバンクなどの装置のみならず、スタジオや衛星回線など、放送波として送出できる素材のコードを示す。この機器コードが選択されることにより、指定時刻に実際に放送される。
【００３９】
アウトコード表データ２４は、図７に示すように、放送方式に対応するアウトコードが関連づけられたデータである。アウトコード表データ２４は、中央処理制御装置１０１による制御によって、記憶装置１０２ａに記憶される。ここで「アウトコード」とは、親番組とまったく同じ内容を子番組で流す場合に、子番組側で親番組のチャンネル示す機器のコードである。アウトコードが指定される場合、親番組のイベントの数に関わらず、子番組のイベントは一つ、具体的には親番組へのリンクの情報のみになる。
【００４０】
ＣＭ素材コード変換表データ２５は、図８に示すように、放送方式毎のＣＭ素材コードが対応づけられたデータである。アウトコード表データ２４は、中央処理制御装置１０１による制御によって、記憶装置１０２ａに記憶される。ここで「CM素材コード」とは、ＣＭバンクなどに登録されたＣＭ素材を識別するコードである。このＣＭ素材コードが指定されることにより、特定のＣＭが放送される。
【００４１】
記憶装置１０２ｂには、親番組データ３１、子番組データ３２ａ、３２ｂ、３２ｃが記憶されている。記憶装置１０２ｂに記憶されている子番組データ３２ａ、３２ｂ、３２ｃは、親番組データ３１に基づく番組と並行して放送される番組のデータである。親番組データ３１は、例えば、アナログ放送用の番組データである。子番組データ３２ａは、例えば、地上波デジタル放送等のアナログ放送以外の放送形式の番組データである。本発明の最良の実施の形態に係る放送システムサーバ１によって、親番組データ３１から子番組データ３２が生成される。親番組データ３１、子番組データ３２ａ、３２ｂ、３２ｃは、番組編集手段１１、イベント編集手段１２、ＣＭ編集手段１３及び番組データ送信手段１４により、生成、更新、削除などの処理がなされる。記憶装置１０２ｂに記憶される各番組データには、番組の放送日、放送時刻、映像モード、音声モード、放送中のイベント、ＣＭなどの情報が含まれている。
【００４２】
番組編集手段１１は、放送システム端末２ａなどの操作により生成された親番組データ３１を記憶装置１０２ｂに記憶する。このとき、番組編集手段１１は、放送システム端末２ａなどの操作で指定された複数の放送形式及びチャンネルが指定されると、親番組データ３１に対応する子番組データ３２ａ、３２ｂ、３２ｃを生成する。具体的には番組編集手段１１は、親番組データ３１に含まれる映像モードをキーとして、映像モード変換表データ２１から子番組データの放送形式に対応する映像モードを抽出して、親番組データの映像モードを抽出された子番組の番組属性に置換した子番組データ３２ａ、３２ｂ、３２ｃを生成する。更に番組編集手段１１は、子番組データ３２ａ、３２ｂ、３２ｃに、親番組データ３１へのリンクを付加して、記憶装置１０２ｂに記憶する。このリンクにより、親番組データ３１と子番組データ３２ａ、３２ｂ、３２ｃが関連づけられる。
【００４３】
番組編集手段１１は、更に、親番組データ３１を削除する場合、親番組データへのリンクが付加された子番組データ３２ａ、３２ｂ、３２ｃを記憶装置１０２ｂから削除し、子番組データ３２ａを削除する場合、親番組データへのリンクが付与された子番組データ３２ａを記憶装置１０２ｂから削除する。
【００４４】
番組編集手段１１は、更に、親番組データ３１を変更する場合、親番組データ３１へのリンクが付加された子番組データ３２ａ、３２ｂ、３２ｃも変更する。番組編集手段１１は、子番組データ３２ａの放送時刻を変更する場合、親番組データ３１へのリンクを削除して、子番組データ３２ａの放送時刻を変更する。子番組データ３２ａの番組属性を変更する場合、子番組データのみの番組属性を変更する。
【００４５】
ここで、図９及び図１０を参照して、本発明の最良の実施の形態に係る番組編集処理を説明する。
【００４６】
図９は、新たな番組データを生成したり、既に生成された番組データを削除する処理を説明する。 
ステップＳ１０１において、親番組データを追加又は削除するか子番組データを追加又は削除するかが判定される。親番組データを追加又は削除すると判定された場合、ステップＳ１０２において、親番組データ及び子番組データの両方が追加及び削除される。追加する場合、子番組データには、親番組データへのリンクが付与される。 
一方、ステップＳ１０１において、子番組データを追加又は削除すると判定された場合、ステップＳ１０３において、子番組データが追加又は削除される。これにより、親番組データ及び子番組データのリンクが切断される。
【００４７】
図１０は、既に生成された番組データを変更する処理を説明する。 
ステップＳ２０１において、親番組データを変更するか子番組データを変更するかが判定される。親番組データを変更する場合、親番組データと、この親番組データへのリンクを含む子番組データを変更する。 
一方、子番組データを変更する場合、ステップＳ２０３において、子番組データの放送時刻の情報が変更されるか否かが判定される。時刻情報を変更しない場合、ステップＳ２０５に進む。時刻情報を変更する場合、ステップＳ２０４において、親番組データ及び子番組データのリンクが切断され、具体的には子番組データに含まれた親番組データへのリンクが削除される。次に、ステップＳ２０５において、子番組データが変更される。
【００４８】
イベント編集手段１２は、放送システム端末２ａなどの操作により編集された親番組データ３１のイベントデータを記憶装置１０２ｂに記憶する。子番組データとの番組連動がない場合、イベント編集手段１２は、親番組データと子番組データのリンクを切断して記憶する。ここで「番組連動」とは、一般的にはサイマル連動とも呼ばれており、親番組が、別チャンネル又は別放送形式の子番組と同じ内容であることを示す。番組連動の場合、子番組は親番組と同じ放送内容であるため、親番組でイベントを変更すると、子番組も同様に変更される。番組連動の場合、子番組には、親番組のイベントに対応する子番組のイベントが必ず一つ含まれる。
【００４９】
一方、イベント編集手段１２は、子番組データとの番組連動がない場合、親番組データ３１にイベントデータが追加されると、子番組データ３２ａ、３２ｂ、３２ｃに親番組データ３１に追加されたイベントデータへのリンクを付加し、親番組データ３１のイベントデータが削除されると、子番組データ３２ａ、３２ｂ、３２ｃから削除されたイベントデータへのリンクを削除する。イベント編集手段１２は、子番組データ３２ａのイベントデータが変更又は削除されると、子番組データ３２ａの親番組データ３１に含まれるイベントデータへのリンクを削除する。
【００５０】
又、イベント編集手段１２は、親番組データ３１にイベントデータが追加又は変更されると、子番組データとの番組連動があり且つ完全サイマルの場合、子番組データ３２ａ、３２ｂ、３２ｃのイベントデータに親番組データのイベントデータのアウトコードデータを付与する。一方、完全サイマルでない場合、イベント編集手段１２は、子番組データ３２ａ、３２ｂ、３２ｃのイベントデータに機器変換表データ２３から子番組の放送方式に関連づけられた機器データを付与する。ここで、「完全サイマル」とは、親番組そのままを子番組として放送することを意味する。
【００５１】
次に図１１を参照して、イベント編集処理を説明する。 
まず、ステップＳ３０１において、親番組データのイベントデータを編集するか、子番組データのイベントデータを編集するかが判定される。親番組データを編集する場合、ステップＳ３０２において、親番組データにイベントが追加、変更又は削除される。ここで、ステップＳ３０３において、子番組との番組連動があるか否かが判定される。番組連動がある場合、ステップＳ３０４に進む。番組連動がない場合、ステップＳ３０６に進む。
【００５２】
番組連動がありイベントデータが追加又は変更されると、子番組が完全サイマルの場合、アウトコード表データ２４に基づいて子番組の放送形式に適合したアウトコードが子番組データに付与され、子番組が完全サイマルでない場合、機器変換表データ２３に基づいて子番組の放送形式に適合した機器コードが子番組データに付与される。
【００５３】
ステップＳ３０１において、子番組データのイベントデータを編集すると判定された場合、ステップＳ３０５において、子番組データのイベントデータを編集する。更にステップＳ３０６において、子番組データのイベントデータを変更又は削除する場合、親番組データのイベントデータと子番組データのイベントデータとのリンクが切断される。
【００５４】
ＣＭ編集手段１３は、親番組データのＣＭデータを編集する。ＣＭ編集手段１３は、ＣＭデータに変更があると、子番組データは編集せず、親番組データのみ編集する。
【００５５】
番組データ送信手段１４は、子番組データ３２ａを自動番組送出装置４ａ、４ｂなどの下位機器に送信する際、ＣＭ編集手段１３によって編集された親番組データ３１のＣＭデータを、子番組データ３２ａに反映して送信する。このとき番組データ送信手段１４は、ＣＭ素材コード変換表データ２５から、子番組の放送形式に適合したＣＭ素材コードを抽出し、抽出されたＣＭ素材コードを子番組データ３２ａに付与する。このとき、子番組データ３２ａのＣＭ送出順位などＣＭ素材コード以外の情報は、親番組データと同一のものを使用する。
【００５６】
この様に本発明の最良の実施の形態によれば、同じ時間に同じ番組を放送する並行放送（サイマル放送）において、放送方式に依存する機器や設定など異なっても、放送方式やチャンネルに応じて個々の放送データを容易に生成することができる。更に、並行放送のＣＭ編集作業においても、作業量やデータ量を軽減しつつ、一つの番組データにおいて修正されたＣＭ編集の内容を他の全ての番組データに反映することができる。
【００５７】
（その他の実施の形態）
上記のように、本発明の最良の実施の形態によって記載したが、この開示の一部をなす論述及び図面はこの発明を限定するものであると理解すべきではない。この開示から当業者には様々な代替実施の形態、実施例及び運用技術が明らかとなる。
【００５８】
例えば、本発明の最良の実施の形態に記載した放送システムサーバは、図３に示すように一つのハードウェア上に構成されても良いし、その機能や処理数に応じて複数のハードウェア上に構成されても良い。又、放送システムサーバは、その機能や処理数に応じて、複数の記憶装置及び中央処理制御装置を備えても良い。
【００５９】
本発明はここでは記載していない様々な実施の形態等を含むことは勿論である。従って、本発明の技術的範囲は上記の説明から妥当な特許請求の範囲に係る発明特定事項によってのみ定められるものである。
【図面の簡単な説明】
【００６０】
【図１】本発明の最良の実施の形態に係る放送システムのシステム構成図である。
【図２】本発明の最良の実施の形態に係る放送システムにおける番組データの生成の概要を説明する図である。
【図３】本発明の最良の実施の形態に係る放送システムサーバの機能ブロック図である。
【図４】本発明の最良の実施の形態における映像モード変換表データのデータ構造及びデータの一例を説明する図である。
【図５】本発明の最良の実施の形態における音声モード変換表データのデータ構造及びデータの一例を説明する図である。
【図６】本発明の最良の実施の形態における機器変換表データのデータ構造及びデータの一例を説明する図である。
【図７】本発明の最良の実施の形態におけるアウトコード表データのデータ構造及びデータの一例を説明する図である。
【図８】本発明の最良の実施の形態におけるＣＭ素材コード変換表データのデータ構造及びデータの一例を説明する図である。
【図９】本発明の最良の実施の形態に係る番組編集手段において、番組を追加又は削除する処理を説明するフローチャートである。
【図１０】本発明の最良の実施の形態に係る番組編集手段において、番組を変更する処理を説明するフローチャートである。
【図１１】本発明の最良の実施の形態に係るイベント編集手段において、番組データのイベントを編集する処理を説明するフローチャートである。
【符号の説明】
【００６１】
１…放送システムサーバ
２ａ、２ｂ…放送システム端末
３ａ、３ｂ…支社システム
４ａ、４ｂ…自動番組送出装置
４ｂ…自動番組送出装置
５…ＣＭバンク
６…通信ネットワーク
１１…番組編集手段
１２…イベント編集手段
１３…ＣＭ編集手段
１４…番組データ送信手段
２１…映像モード変換表データ
２２…音声モード変換表データ
２３…機器変換表データ
２４…アウトコード表データ
２５…ＣＭ素材コード変換表データ
３１…親番組データ
３２、３２ａ、３２ｂ、３２ｃ…子番組データ
１０１…中央処理制御装置
１０２、１０２ａ、１０２ｂ…記憶装置
【図１】
2008227851.tif 000003
【図２】
2008227851.tif 000004
【図３】
2008227851.tif 000005
【図４】
2008227851.tif 000006
【図５】
2008227851.tif 000007
【図６】
2008227851.tif 000008
【図７】
2008227851.tif 000009
【図８】
2008227851.tif 000010
【図９】
2008227851.tif 000011
【図１０】
2008227851.tif 000012
【図１１】
2008227851.tif 000013